【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】  澱粉と非相溶の疎水性ポリマーマトリックス中に粒子の形態で、前記マトリックスおよび澱粉複合体と相溶する基を含むカップリング剤を用いてまたは前記ポリマーマトリックスに固定される澱粉複合体中に存在する反応性基を用いて前記ポリマーマトリックスと結合される澱粉複合体を、フィラーとして含有する、澱粉と非相溶の疎水性ポリマーであって、前記澱粉複合体が、数値平均寸法１μｍ未満の粒子の形態で、１００℃で水中での溶解性２０％未満を有し、９４０〜９５０ｃｍ−１域の二次微分ＩＲ吸収を特徴とし、そしてマトリックスの生分解性ポリマーが脂肪族または脂肪性芳香族ポリエステル、脂肪族ポリアミド、ポリアミド−ポリエステル、ポリウレタンポリエステル、ポリウレタン−ポリアミド、ポリ尿素−ポリエステルから成る群より選択される場合には、澱粉複合体が前記マトリックスを形成するポリマーとは異なり、またエチレン−ビニルアルコールコポリマーとも異なる複合化剤と澱粉との複合体である、
澱粉と非相溶の疎水性ポリマー。
【請求項２】  カップリング剤が、ビニルシラン、アルキルチタネートおよびビス-3-トリエトキシシリルプロピルテトラスルフィドから成る群より選択される請求項１記載のポリマー。
【請求項３】  前記ポリマーマトリックスを形成するポリマーとは異なる複合化剤が、ポリ乳酸、ポリグリコール酸、ポリ（乳酸−グリコール酸）コポリマー、エチレン−アクリル酸コポリマー、エチレン−酢酸ビニルコポリマーから成る群より選択される請求項１または２記載のポリマー。
【請求項４】  疎水性ポリマー中に分散される前記複合体を含むフィラーの量が、０.５〜５０重量％である請求項１〜３のいずれかに記載のポリマー。
【請求項５】  澱粉複合体が、親液性基および疎液性配列を含む、澱粉と相溶するポリマーと澱粉との組成物から製造され、ここで澱粉複合体が発現し、この澱粉複合体から、数値平均直径１μｍ以下の粒子のミクロ分散体が、攪拌下、１００℃の水中での処理によって形成される請求項１〜４のいずれかに記載のポリマー。
【請求項６】  水分量が２０％以下でかつ２％以上であり、およびＴｇが０℃以下の組成物の使用により製造される請求項１〜５のいずれかに記載のポリマー。
【請求項７】  澱粉と複合体を形成できるポリマーが、エチレンと極性モノマーとのコポリマーから成る群より選択される請求項５記載のポリマー。
【請求項８】  コポリマーが、エチレンとビニルアルコール、酢酸ビニルおよび酢酸とのコポリマーから成る群より選択される請求項７記載のポリマー。
【請求項９】  エチレン／ビニルアルコールコポリマーが、ビニルアルコールを５０〜７５モル％含有する請求項８記載のポリマー。
【請求項１０】  澱粉と複合化できる前記ポリマーが、ポリエステル／ポリウレタン、ポリアミド／ポリエステル、脂肪族および脂肪性芳香族ポリエステルおよびポリアミドから成る群より選択される請求項５記載のポリマー。
【請求項１１】  前記澱粉複合化剤が脂肪酸またはその誘導体である請求項１または２記載のポリマー。
【請求項１２】  前記澱粉複合化剤が疎水性マトリックスのための反応性基を有する請求項１または２記載のポリマー。
【請求項１３】  澱粉と非相溶の疎水性ポリマーが、エチレンポリマーおよびコポリマー、結晶性プロピレンポリマーおよびコポリマー、芳香族ポリエステル樹脂、ポリアミド、ポリオキシメチレン樹脂、ポリフェニレンオキサイド樹脂およびポリカーボネートから成る群より選択される請求項１〜１２のいずれかに記載のポリマー。
【請求項１４】  疎水性ポリマーが、スチレン−ブタジエンゴム、ポリブタジエンゴム、ポリイソプレンゴム、エチレン−プロピレンおよびエチレン−プロピレン−ジエンゴム、および天然ゴムから成る群より選択されるゴムである請求項１〜１２のいずれかに記載のポリマー。
【請求項１５】  澱粉／ポリマー複合体を含み、複合化するポリマーと複合体との間で連続した相互に浸透した構造部分を形成する組成物を、溶融状態でまたは加熱混練条件下、ポリマーマトリックスおよび複合体と反応し得る基を含むカップリング剤の存在下で、澱粉と非相溶の疎水性ポリマーと混合する請求項１〜１４のいずれかに記載の充填されたポリマーを製造する方法。
【請求項１６】  澱粉／ポリマー複合体を含む組成物を、１４０〜１６０℃の加工温度において、ポリマーマトリックスおよび複合体と反応し得る基を含むカップリング剤の存在下でゴムと混合する請求項１〜１４のいずれかに記載の充填されたポリマーを製造する方法。
【請求項１７】  カップリング剤が、ビニルおよびテトラスルフィドシラン、およびアルキルチタネートから選択される請求項１５または１６記載の方法。
【請求項１８】  カップリング剤が、前記複合体の０.０５〜１０重量％の量で使用される請求項１５、１６および１７のいずれかに記載の方法。
【請求項１９】  ポリマーマトリックスが、脂肪性芳香族ポリエステル、脂肪族ポリアミド、ポリアミド−ポリエステル、ポリウエレタン−ポリエステル、ポリウレタン−ポリアミドおよびポリ尿素−ポリエステルから成る群より選択される生分解性ポリマーであり、ポリマーマトリックスを形成するポリマーを、請求項１記載の特徴を有し、そしてマトリックスを形成するポリマーとは異なりかつエチレン−ビニルアルコールコポリマーとも異なる複合化剤と、複合化される澱粉から形成されることも特徴とする澱粉の複合体と溶融混合することを含む、請求項１〜１４のいずれかに記載の充填されたポリマーを製造する方法。
【請求項２０】  澱粉複合体が、予備形成されるかまたは溶融混合中に形成される請求項１９記載の方法。
【請求項２１】  請求項１〜１４のいずれかに記載の疎水性ポリマーから得られる成形物品。
【請求項２２】  疎水性ポリマーが、脂肪族および脂肪性芳香族ポリエステル、ポリウレタン−ポリアミド、ポリ尿素−ポリエステル、およびポリウレタン−ポリエステルから成る群より選択される請求項１〜１４のいずれかに記載の疎水性ポリマーから得られる成形物品。
【請求項２３】  請求項１〜１４のいずれかに記載の疎水性ポリマーから得られるフィルム、およびコンポスト化できるバッグ。
【請求項２４】  請求項１４記載のゴムから得られるタイヤ。
【手続補正２】
【補正対象書類名】明細書
【補正対象項目名】０００９
【補正方法】変更
【補正の内容】
【０００９】
上記特許では、グラフト化剤を使用する可能性についても言及しているが、グラフト化剤はそれ以上確認されていないが、澱粉とゴムの間の相溶化剤として作用し得る。
本発明は添付の請求項に記載されるような澱粉複合体を配合する疎水性ポリマーおよびその調製方法を提供する。
【手続補正３】
【補正対象書類名】明細書
【補正対象項目名】００１０
【補正方法】変更
【補正の内容】
【００１０】
予期しないことに、澱粉と非相溶の疎水性ポリマー中に、９４０〜９５０ｃｍ−１域の二次微分ＦＴＩＲ吸収または２θ１１°〜１３°および１９°〜２１°の領域のＸ線回折ピークで特徴付けられる澱粉複合体を、低い水溶性の粒子の形態でかつ数値平均寸法１μｍ以下で分散できることが見出された。この澱粉複合体は、ポリマーマトリックスや複合体（外部カップリング剤）と相互作用し得る基を含むカップリング剤を用いて、またはポリマーマトリクスを固定できることから内部カップリング剤として作用する複合体中に含まれる反応性基を用いてポリマーマトリックスに固定されており、この場合は、外部カップリグ剤の使用が省略できる。
【手続補正４】
【補正対象書類名】明細書
【補正対象項目名】００１１
【補正方法】変更
【補正の内容】
【００１１】
これは、例えば、脂肪族または脂肪性芳香族ポリエステル、脂肪族ポリアミド、ポリアミド−ポリエステル、ポリウレタン−ポリエステルのような生分解性ポリマーを含むマトリックスの場合である。
【手続補正５】
【補正対象書類名】明細書
【補正対象項目名】００１２
【補正方法】変更
【補正の内容】
【００１２】
以降に記載するように、上記生分解性マトリックスと共に使用できる複合体は、澱粉と、ポリマーマトリックスを形成するポリマーやエチレン−ビニルアルコールコポリマーとは別の複合化剤との複合体である。